(57)【特許請求の範囲】
【請求項１】
液透過性の表面シート、防漏シート、及びこれら両シート間に介在された液保持性の吸収性コアを有する縦長の吸収性物品であって、
前記吸収性コアは、前記吸収性物品の幅方向中央部に位置する中央吸収性コアを有すると共に、該中央吸収性コアの両側に配された側部吸収性コアを有しており、
前記側部吸収性コアは、前記吸収性物品の長手方向の中央部に、該長手方向に相互に離間した複数のブロック状吸収性コアを有し、複数の該ブロック状吸収性コアは、それぞれ、前記中央吸収性コアと連続しておらず、
吸収性物品の平面方向において前記側部吸収性コアと重なる領域に、弾性部材が前記長手方向に沿って配されており、前記弾性部材は、前記側部吸収性コアに配されているか又は該側部吸収性コアよりも非肌当接面側に配されており、前記弾性部材は、前記長手方向において、複数の前記ブロック状吸収性コア間に亘るように配されている、吸収性物品。
【請求項２】
前記弾性部材は、前記吸収性コアの非肌当接面側の面を被覆するコアラップシートに固定されている、請求項１に記載の吸収性物品。
【請求項３】
前記弾性部材は、前記コアラップシートの非肌当接面側の面に固定されている、請求項２に記載の吸収性物品。
【請求項４】
前記側部吸収性コアは、前記長手方向の長さが前記吸収性物品の幅方向中央側から幅方向外側に向かうにつれて短くなる形状のブロック状吸収性コアを、前記長手方向の中央部に有している、請求項１〜３の何れか１項に記載の吸収性物品。
【請求項５】
前記防漏シートは、前記吸収性物品の両側部において、前記吸収性コアの肌当接面側に折り返されている、請求項１〜４の何れか１項に記載の吸収性物品。
【請求項６】
前記吸収性物品の両側部に一対の立体ギャザーが設けられており、該立体ギャザーを形成している立体ギャザー形成用シートの幅方向外側の側縁が、前記表面シートと、前記防漏シートにおける前記吸収性コアの肌当接面側に折り返された部分である折り返し部との間に挟まれている、請求項５に記載の吸収性物品。
【請求項７】
前記中央吸収性コアと前記側部吸収性コアとの間に隙間部分が形成されており、該隙間部分は、吸収性コアの構成材料が存在しない部分である、請求項１〜６の何れか１項に記載の吸収性物品。
【請求項８】
前記吸収性物品が尿とりパッドである、請求項１〜７の何れか１項記載の吸収性物品。
【発明の詳細な説明】
【技術分野】
【０００１】
本発明は、尿とりパッド、失禁パッド、使い捨ておむつ等の吸収性物品に関する。
【背景技術】
【０００２】
従来、吸収性物品において、吸収性コアが、中央吸収性コアとその両側の側部吸収性コアとを有すると共に、吸収性物品の平面方向において側部吸収性コアと重なる領域又は該領域の近傍に弾性部材が配されたものが知られている。
例えば、使い捨ておむつにおいて、吸収体が中央部吸収体とその両側のサイド部吸収体とに隙間部分を設けて分設されており、前記隙間部分に連結部吸収体が複数間欠的に設けられて前記中央部吸収体と両サイド部吸収体とが梯子状に連結し、前記隙間部分の吸収体非設置部の少なくとも１つに弾性部材が配設されたものが知られている（特許文献１）。
特許文献２，３には、中央吸収体と、中央吸収体の左右両側に位置する第２吸収体を有し、第２吸収体の裏面シート側に、おむつ長手方向に沿って弾性部材が配された使い捨ておむつが記載されている。
【先行技術文献】
【特許文献】
【０００３】
【特許文献１】特開２００８−１４２２７２号公報
【特許文献２】特開２００２−２００１１６号公報
【特許文献３】特開２００２−１１３０４０号公報
【発明の概要】
【発明が解決しようとする課題】
【０００４】
特許文献１〜３のおむつは、吸収体が幅広に形成されており、着用時には、サイド部吸収体（又は第２吸収体）の肌面側が着用者の大腿に密接する。しかしながら、サイド部吸収体（又は第２吸収体）の剛性が高く、このようなサイド部吸収体（又は第２吸収体）を着用者鼠蹊部に位置するように配する場合には、着用者の脚廻りに沿う変形性に課題を残している。
【０００５】
従って、本発明の課題は、着用者の脚廻りに沿うように変形しやすく、漏れ防止性やフィット性に優れると共に、着用時の違和感を防止できる吸収性物品を提供することにある。
【課題を解決するための手段】
【０００６】
本発明は、液透過性の表面シート、防漏シート、及びこれら両シート間に介在された液保持性の吸収性コアを有する縦長の吸収性物品であって、前記吸収性コアは、前記吸収性物品の幅方向中央部に位置する中央吸収性コアを有すると共に、該中央吸収性コアの両側に配された側部吸収性コアを有しており、前記側部吸収性コアは、前記吸収性物品の長手方向中央部に、該長手方向に相互に離間した複数のブロック状吸収性コアを有しており、吸収性物品の平面方向において該側部吸収性コアと重なる領域又は該領域の近傍に、弾性部材が前記長手方向に配されている、吸収性物品を提供するものである。
【発明の効果】
【０００７】
本発明によれば、着用者の脚廻りに沿うように変形しやすく、漏れ防止性やフィット性に優れると共に、着用時の違和感を防止できる吸収性物品を提供することができる。
【図面の簡単な説明】
【０００８】
【図１】図１は、本発明の吸収性物品の第１実施形態である尿とりパッドを示す斜視図である。
【図２】図２は、図１に示すパッドの伸長状態における肌当接面側（表面シート側）を模式的に示す平面図である。伸長状態とは、パッドを、各部の弾性部材を伸長させて、設計寸法（弾性部材の影響を一切排除した状態で平面状に広げたときの寸法と同じ）となるまで拡げた状態を言う。
【図３】図３は、図１に示すパッドにおける吸収性コアの形状や寸法を説明するための模式図である。
【図４】図４は、図２のＩ−Ｉ線断面を模式的に示す断面図である。
【図５】図５は、着用時のおむつを、図２のＩ−Ｉ線で切断した断面を模式的に示す図である。
【図６】図６は、立体ギャザーの固定態様に係る変形例を示す一部拡大断面図である。
【図７】図７は、本発明の第２実施形態における吸収性コアの形状を説明するための模式図であり、図３相当図である。
【図８】図８は、本発明の第２実施形態である尿とりパッドの幅方向に沿う断面を模式的に示す図であり、図４相当図である。
【図９】図９は、本発明の第３実施形態である尿とりパッドの幅方向に沿う断面を模式的に示す図であり、図４相当図である。
【図１０】図１０は、本発明の変形例を示す模式断面図であり、図４の一部に相当する図である。
【図１１】図１１は、本発明の変形例を示す模式平面図である。
【図１２】図１２は、本発明の変形例を示す模式平面図である。
【発明を実施するための形態】
【０００９】
以下に、本発明をその好ましい実施形態に基づき図面を参照しながら説明する。
【００１０】
本発明の一実施形態である尿とりパッド１（以下、パッド１ともいう）は、図２に示すように、液透過性の表面シート２と、防漏シート３、及びこれら両シート２，３間に介在された液保持性の吸収性コア５を有しており、縦長である。吸収性コア５は、中央吸収性コア５１を有すると共に、該中央吸収性コア５１の両側に配された側部吸収性コア５２を有しており、側部吸収性コア５２は、尿とりパッド１の股下部Ｃ（長手方向中央部）に、長手方向に離間した複数のブロック状吸収性コア５５ａを有している。また、尿とりパッド１の平面方向において側部吸収性コア５２と重なる領域Ｓに、弾性部材７が前記長手方向に配されている。
尿とりパッド（尿取りパッド）は、展開型やパンツ型の使い捨ておむつの交換の頻度や労力の低減を図るために、使い捨ておむつの肌対向面上に配して併用するものである。但し、下着上に配して単独で用いることを妨げるものではない。
【００１１】
図２に示すように、尿とりパッド１は、長手方向において、腹側部Ａ、股下部Ｃ、及び背側部Ｂに区分される。股下部Ｃは、パッド１の着用時に着用者の股間部に配される部位であり、該股下部Ｃが、本発明の吸収性物品の長手方向中央部に相当する。股下部Ｃは、パッド１を長手方向に３等分したときの中央領域、或いは当該中央領域を含んで該中央領域よりも広い領域である。腹側部Ａは、着用時に着用者の腹側に配される部位であり、背側部Ｂは、着用時に着用者の背側に配される部位である。
【００１２】
本発明の吸収性物品の長手方向とは、着用時に、着用者の前後方向と一致する方向であり、本実施形態のパッド１においては、腹側部Ａから股下部Ｃを経て背側部Ｂに亘る方向又はその逆方向（図２中のＹ方向）である。また、本発明の吸収性物品の幅方向とは、吸収性物品の長手方向と直交する方向であり、本実施形態のパッド１においては、図２中のＸ方向である。以下、パッド１又は本発明の吸収性物品における長手方向をＹ方向、パッド１又は本発明の吸収性物品における幅方向をＸ方向ともいう。また、本明細書中、パッド１の幅方向を左右方向というときもある。
【００１３】
以下、本実施形態のパッド１について、より詳細に説明する。
本実施形態の尿とりパッド１は、図２に示すように、尿とりパッド１は平面視においてＹ方向に長い略矩形状をしている。図１及び図２に示すように、表面シート２は、尿とりパッド１の肌当接面側に配されており、尿とりパッド１の肌当接面のうち幅方向中央部の全域を構成している。防漏シート３は、尿とりパッド１の非肌当接面側に配されており、尿とりパッド１の非肌当接面の全域を構成している。表面シート２と防漏シート３との間には、平面視においてＹ方向に長い略矩形状の吸収体４が介在している。ここで、「肌当接面側」とは、吸収性物品又はその構成部材における、着用時に着用者の肌側に向けられる面であり、「非肌当接面側」は、着用時に着用者の肌側とは反対側（通常、下着側）に向けられる面である。また、肌当接面側又は非肌当接面側からパッド１を見たときに、パッド１が拡がっている方向〔パッド１の幅方向（Ｘ方向）及び長手方向（Ｙ方向）からなるＸＹ平面と平行な方向〕を、パッド１の「平面方向」、肌当接面側から非肌当接面側へ向かう方向（「平面方向」と交差する方向）をパッド１の「厚み方向」と呼ぶ。
【００１４】
表面シート２及び防漏シート３は、吸収体４よりも外形寸法の大きい略矩形状の形状を有している。表面シート２は、防漏シート３の幅方向中央部に配されており、吸収体４の肌当接面側のほぼ全域を被覆している。防漏シート３は、吸収体４の非肌当接面側のほぼ全域を被覆していると共に、図２及び図４に示すように、パッド１の両側部において幅方向（Ｘ方向）内方に折り返されている。具体的には、防漏シート３は、吸収体４の幅よりも幅が広く、吸収体４のＸ方向端縁よりも外側に延出する部分が、吸収性コア５の肌当接面側に折り返されている。図２に示す例では、折り返しにより吸収性コア５の肌当接面側に位置する部分である折り返し部３１のＸ方向内側の側縁３１ａは、側部吸収性コア５２のＸ方向外側の側縁５２ａよりＸ方向内側（Ｘ方向中央部側）に位置している。
【００１５】
吸収体４は、尿とりパッド１の幅方向中央部に配されている。吸収体４は、パルプ繊維等の繊維の集合体（不織布であっても良い）からなるか又はこれに吸水性ポリマーの粒子を保持させてなる吸収性コア５と、該吸収性コア５を被覆するコアラップシート６からなる。吸収体４も、Ｙ方向に長い長方形状に形成されている。コアラップシート６としては、各種公知のものを用いることができ、例えばティッシュペーパのような薄紙や透水性の不織布（スパンボンド不織布、エアスルー不織布、スパンボンド-メルトブローン-スパンボンド（ＳＭＳ）不織布等）等が好ましく用いられる。
【００１６】
図４に示すように、コアラップシート６は、吸収性コア５の肌当接面側の面（表面シート２側の面）を被覆するコアラップシート６１と、該吸収性コア５の非肌当接面側の面（防漏シート３側の面）を被覆するコアラップシート６２からなる。肌当接面側のコアラップシート６１は、吸収性コア５の肌当接面側のほぼ全域を被覆している。非肌当接面側のコアラップシート６２は、吸収性コア５の非肌当接面側のほぼ全域を被覆していると共に、吸収性コア５の両側部において幅方向（内方）に折り返されている。
【００１７】
本実施形態の吸収性コア５の形状等について詳述する。
図３に示すように、吸収性コア５も、吸収体４と同様に、Ｙ方向に長い形状を有している。
吸収性コア５は、幅方向（Ｘ方向）に分割されており、中央吸収性コア５１と、該中央吸収性コア５１の両側に配された側部吸収性コア５２，５２とに有する。両側の側部吸収性コア５２，５２どうしは、左右対称の形状を有している。
本実施形態においては、吸収性コア５は、Ｙ方向全長に亘ってＸ方向に３分割されており、中央吸収性コア５１のＹ方向両端部と側部吸収性コア５２のＹ方向両端部とがほぼ同位置にある。また、中央吸収性コア５１の幅Ｌ５１は、Ｙ方向全長に亘って略一定であり、中央吸収性コア５１はＹ方向に長い略長方形状をしている。
股下部Ｃにおいて、中央吸収性コア５１のＸ方向の幅Ｌ５１は、好ましくは６０〜１８０ｍｍであり、より好ましくは、８０〜１６０ｍｍである。また、前記幅Ｌ５１は、Ｙ方向の同位置における吸収性コア５の幅Ｌｘに対して、好ましくは、３０〜７５％であり、より好ましくは３５〜６６％である。
また、吸収性コア５は、後述する隙間部分５４及び隙間部分５３以外の部分において、厚みが略一定であるが、略一定でなくても良く、例えば中央吸収性コアの厚みが側部吸収性コアの厚みよりも厚くても良い。
【００１８】
中央吸収性コア５１と側部吸収性コア５２，５２との間には隙間部分５３が形成されている。隙間部分５３，５４は、吸収性コアの構成材料が存在しない部分であるか、又は中央吸収性コア５１及び側部吸収性コア５２，５２に比して、吸収性コアの構成材料の坪量が顕著に低い部分（例えば、パルプ繊維等の繊維材料の坪量が１／３以下）である。
前記隙間部分５３のＸ方向の幅（中央吸収性コア５１と側部吸収性コア５２との間隔に同じ）Ｌ５３は、５〜６０ｍｍであることが好ましく、より好ましくは１０〜４０ｍｍである。また、前記幅Ｌ５３は、吸収性コア５の幅Ｌｘに対して、好ましくは１〜１０％であり、更に好ましくは２〜８％である。
前記隙間部分５３の幅Ｌ５３は、少なくとも股下部Ｃ（吸収性物品の長手方向中央部）において、上記の数値範囲であることが好ましい。
なお、本実施形態においては、図３に示すように、隙間部分５３の前記幅Ｌ５３が、吸収性コア５のＹ方向の全長に亘って略一定である。
【００１９】
側部吸収性コア５２は、Ｙ方向において複数に分割されており、パッド１の長手方向の両側それぞれに、Ｙ方向に分割され且つ相互に離間した複数の分割吸収性コア５５が形成されている。複数の分割吸収性コア５５間には、隙間部分５４が形成されている。
また、側部吸収性コア５２は、股下部Ｃ（長手方向中央部）に、Ｙ方向に相互に離間した複数のブロック状吸収性コア５５ａ，５５ａを有している。ブロック状吸収性コア５５ａは、分割吸収性コア５５のうち、Ｙ方向の前後に隙間部分５４を有するものである。
ブロック状吸収性コア５５ａは、パッド１の両側それぞれに、２〜１０個設けられていることが好ましく、より好ましくは３〜８個形成されている。
図３に示す例では、股下部Ｃにおける、パッド１の両側それぞれに、隙間部分５４が４つ設けられ、ブロック状吸収性コア５５ａが３個ずつ設けられている。
【００２０】
なお、側部吸収性コア５２は、股下部ＣにおけるＸ方向幅Ｌ５２（特にブロック状吸収性コア５５ａの股下部ＣにおけるＸ方向幅）が１０〜６０ｍｍであることが好ましく、更に好ましくは２０〜６０ｍｍである。また、股下部Ｃにおいて、当該幅Ｌ５２は、吸収性コア５のＸ方向幅Ｌｘに対して５〜３０％であることが好ましく、更に好ましくは１０〜２５％である。
【００２１】
ブロック状吸収性コア５５ａの前後に存する隙間部分５４の間隔Ｌ５４（隙間部分５４のＹ方向長さが最短となる部分のＹ方向長さ）は、好ましくは２〜２０ｍｍであり、更に好ましくは５〜２０ｍｍである。前記間隔Ｌ５４は、吸収性コア５のＹ方向の全長Ｌｙ（図３参照）に対して、好ましくは０．５〜５％であり、より好ましくは１〜３％である。０．５％以上であることは、パッド１の後述する変形しやすさの観点から好ましく、５％以下であることは、パッド装着時の吸収性コア５の股下部分のフィット性を維持し、隙間モレを防止する観点から好ましい。
【００２２】
また、ブロック状吸収性コア５５ａのＹ方向の全長（Ｙ方向長さＬ５５が最大となる部分の長さ）は、好ましくは１５〜９０ｍｍであり、更に好ましくは２５〜７０ｍｍである。また、前記全長は、吸収性コア５のＹ方向の全長Ｌｙ（図３参照）に対して、好ましくは４〜２０％であり、より好ましくは６〜１６％である。４％以上であることは、ブロック状吸収コア５５ａの加工時の成形安定性や側部に流れ出てきた尿を吸収しモレを防ぐ観点から好ましく、２０％以下であることは、パッド着用時の股下部のフィット性や柔軟性を維持する観点から好ましい。
【００２３】
図３に示すように、分割吸収性コア５５（特にブロック状吸収性コア５５ａ）は、Ｙ方向の長さＬ５５が、パッド１のＸ方向中央側からＸ方向外側に向かうにつれて短くなる形状であることが、後述するカップ形状の形成しやすさの観点から好ましい。
本実施形態においては、ブロック状吸収性コア５５ａは、Ｘ方向中央側（中央吸収性コア５１側）に位置する辺ｄが、Ｘ方向外側（パッド側縁１ａ側）に位置する辺ｃよりも長い台形状をしている。前記辺ｄは台形の下底に相当し、前記辺ｃは台形の上底に相当する。台形状には、４つの角のうちの総て又は一部が丸みを帯びているものも含む。４つの角のうち、少なくともＸ方向外側の２つ角が丸みを帯びていると、パッド１の着用時において、パッド１の側部の肌（特に大腿の肌）への刺激を低減して、パッド１の側部の肌触りを良くする点から好ましい。
【００２４】
なお、分割吸収性コア５５（特にブロック状吸収性コア５５ａ）が台形状である場合、下底ｄと斜辺ｅとがなす角の角度ａは、好ましくは４５〜９０度であり、より好ましくは６０〜８５度である。なお、当該角度ａは、下底ｄと斜辺ｅとがなす角が丸みを帯びている場合、底辺ｄと斜辺ｅとを延長して形成される角の角度とする。
【００２５】
また、図２〜図４に示すように、本実施形態においては、パッド１の平面方向において側部吸収性コア５２と重なる領域Ｓに、弾性部材７が、パッド１のＹ方向に延びて配されている。しかしながら、後述するように、弾性部材７は、側部吸収性コア５２と重なる領域Ｓの近傍に配されていてもよい。なお、パッド１の平面方向において側部吸収性コア５２と重なる領域Ｓは、図２に示すように、伸長状態のパッド１を平面視した場合に側部吸収性コア５２と重なる領域である。
本実施形態においては、弾性部材７は、パッド１の長手方向の両側それぞれに、複数本ずつ（図４では２本ずつ）配されている。好ましくは、弾性部材７は、パッド１の平面方向においてブロック状吸収性コア５５ａと重なる領域又は該領域の近傍に配されている。
弾性部材７は、パッド１の長手方向の両側それぞれに、１〜６本ずつ配されていることが好ましく、より好ましくは２〜４本ずつ配されている。
【００２６】
本実施形態においては、図２〜図４に示すように、いずれの弾性部材７も、パッド１の平面方向において側部吸収性コア５２と重なる領域Ｓに配されている。
また、それらの弾性部材７は、側部吸収性コア５２と重なる領域Ｓの非肌当接面側に配されており、より具体的には、防漏シート３と、吸収性コア５の非肌当接面側を覆うコアラップシート６２との間に、ホットメルト接着剤等の接着剤を介して接合固定されている。また、弾性部材７は、Ｙ方向に伸長させた状態で固定されており、使用状態のパッド１においては、Ｙ方向に収縮して、ブロック状吸収性コア５５ａどうし間の隙間部分５４を狭める。
【００２７】
図３に示すように、弾性部材７は、少なくとも股下部Ｃ（長手方向中央部）に配設されている。弾性部材７は、Ｙ方向において、複数のブロック状吸収性コア５５ａ間に亘るように配されていることが好ましく、複数のブロック状吸収性コア５５ａを挟んでその前後に位置する分割吸収性コア５５，５５に亘るように形成されていることがより好ましい。本実施形態においては、弾性部材７のＹ方向両端部は、腹側部Ａ及び背側部Ｂに位置している。
弾性部材７を、パッド１の平面方向において側部吸収性コア５２と重なる領域Ｓ又は領域Ｓの近傍に位置するように配することで、後述するカップ形状を形成することができ、弾性部材７の両端が、腹側部Ａ及び背側部Ｂに位置するように配すると、後述するカップ形状をより確実に形成することができる。
弾性部材７のＹ方向の長さＬ７（図３参照）は、好ましくは、吸収性コア５のＹ方向の全長Ｌｙ（図３参照）に対して３０〜８０％であり、更に好ましくは４０〜７０％である。
本明細書に記載の好ましい寸法や比は、特に明示のない限り、図３に示すような伸長状態のパッド１や吸収性物品における寸法や比である。
【００２８】
図２に示すように、本実施形態のパッド１の長手方向の両側には、一対の立体ギャザー９，９が設けられている。より具体的には、パッド１の長手方向両側部それぞれには、Ｙ方向に亘って一定の幅を有する立体ギャザー形成用シート１０が、Ｙ方向の全長に亘って配されている。図４に示すように、立体ギャザー形成用シート１０は、Ｘ方向内側の側縁部がＹ方向に沿って折り返されて二重になっており、その折り返し部のＸ方向内側の先端が、立体ギャザー９の自由端９３を形成している。この折り返し部は内方に１本の弾性部材９１が、または必要により複数本の弾性部材が配設されている。立体ギャザー９は、弾性部材９１の伸縮により、吸収性コア５の長手方向両側縁近傍の上方に起立するようになっている。立体ギャザー９（弾性部材９１）の伸縮方向は、Ｙ方向に一致している。弾性部材９１は、少なくとも股下部Ｃに配されていることが好ましく、更に腹側部Ａ及び／又は背側部Ｂ側にも延びて配されていることが好ましい。
【００２９】
図４に示すように、立体ギャザー形成用シート１０のＸ方向外側の側縁部は、接着剤等の公知の接合手段によって、表面シート２の肌当接面側に接合されており、それによって、立体ギャザー９の固定端９２が形成されている。立体ギャザー９の固定端９２は、立体ギャザー９の立ち上がり基端部となっている。図４に示す例では、シート１０におけるＸ方向外側の側縁及びその近傍は、表面シート２と防漏シート３の折り返し部３１との間に挟まれており、立体ギャザー９の固定端９２近傍は、防漏シート３の折り返し部３１との接合により補強されている。
図４に示すように、立体ギャザー９の固定端９２は、側部吸収性コア５２の上方に位置する。
【００３０】
図１に示すように、立体ギャザー形成用シート１０のＹ方向両端部は、パッド１の長手方向（Ｙ方向）両端部近傍において、表面シート２上に接合されている。
立体ギャザー９の自由端９３は、パッド１のＹ方向両端部近傍で表面シート２に固定されており、股下部Ｃを含め、当該固定箇所以外の部分では他のシート材に固定されていない。また図２に示すように、好ましくは、パッド１のＹ方向両端部近傍において立体ギャザー９の自由端９３は、吸収性コア５のＸ方向両端部５ａよりもＸ方向内側に位置している。更に好ましくは、パッド１のＹ方向両端部近傍において、立体ギャザー９の自由端９３は、側部吸収性コア５２のＸ方向内側の側縁５２ｂよりもＸ方向内側に位置している。
【００３１】
本実施形態のパッド１によれば、側部吸収性コア５２が、パッド１の股下部Ｃ（Ｙ方向の中央部）に、Ｙ方向に相互に離間した複数のブロック状吸収性コア５５ａ，５５ａを有し、パッド１の平面方向において側部吸収性コア５２と重なる領域Ｓに弾性部材７がＹ方向に延びて配されているため、パッド１の着用時に、図５に示すように、弾性部材７の伸縮により、側部吸収性コア５２が、着用者の肌側に向かって起立する。また、分割吸収性コア５５（特にブロック状吸収性コア５５ａ）が、隙間部分５４の幅を狭めるように寄り集まる。
これにより、本実施形態のパッド１は、股下部Ｃに、長手方向及び幅方向それぞれの断面が凹状となったボウル状（カップ状）の形状を形成しやすい。また、パッドにおける着用者の鼠径部に当たる部分が、着用者の鼠径に沿うように容易に変形して、着用者の肌との間に隙間が生じにくい。また、着用者の股下部分にパッドがボウル形状にあたることで排泄された体液を一時的に受け止め保持することができる。そのため、実施形態のパッド１は、漏れ防止性及びフィット性に優れている。
特に、側部吸収性コア５２の分割により脚廻りの伸縮性が増す点も、フィット性向上に寄与する。また、着用者の鼠径部に沿う変形容易性は、着用者の違和感の低減にも繋がる。
【００３２】
また、上述したように、弾性部材７は、吸収性コア５の非肌当接面側の面を被覆するコアラップシート６２に固定されているため、弾性部材７の伸縮力が側部吸収性コア５２に伝わりやすく、更にパッド１の上記変形が起こりやすい。
ここで、本実施形態のように、弾性部材７がコアラップシート６２に接合されている場合に、コアラップシート６２が不織布であると、尿排泄時等に不織布が湿潤しても、弾性部材７のコアラップシート６２への接着強度が低下しにくいため好ましい。また、コアラップシート６２が不織布であることは、柔軟で伸縮性がよいため、パッド１の変形性を高める点で好ましい。
【００３３】
また、上述したように、弾性部材７は、一本以上がパッド１の平面方向において側部吸収性コア５２と重なる領域Ｓに配されているため、弾性部材７の伸縮により、側部吸収性コア５２が上方に持ち上げられて起立しやすい。このため、パッド１のカップ形状が、より形成されやすい。また、上述したように、弾性部材７は、側部吸収性コア５２と重なる領域Ｓにおける側部吸収性コア５２の非肌当接面側に位置しているため、側部吸収性コア５２が、更に上方に持ち上げられやすい。
【００３４】
また、上述したように側部吸収性コア５２が、パッド１の股下部Ｃ（長手方向中央部）に、該長手方向の長さＬ５５がパッド１の幅方向（Ｘ方向）中央側から幅方向（Ｘ方向）外側に向かうにつれて短くなる形状のブロック状吸収性コア５５ａを有する。このため、弾性部材７の伸縮により、分割吸収性コア５５におけるＸ方向外側の端部同士が寄り集まりやすく、パッド１がよりカップ形状を形成しやすい。また、着用者の肌面（大腿）に、台形状のブロック状吸収性コア５５の平坦な上底部分が対向するため、着用者の肌への刺激が少なく、パッド１の側部の肌触りを良くする。
【００３５】
また、パッド１は、Ｙ方向両側に一対の立体ギャザー９，９が設けられており、股下部Ｃにおいて、立体ギャザー９，９の固定端９２は、側部吸収性コア５２の上側に位置している。このため、側部吸収性コア５２は、立体ギャザー９（弾性部材９１）の伸縮にも助けられて更に起立しやすいと共に、分割吸収性コア５２が寄り集まりやすく、より大きなカップ形状が形成されやすい。
【００３６】
また、図４に示すように、パッド１は、防漏シート３がパッド１の両側部において、表面シート２側に折り返されている。このため、排出された尿等が吸収性コア５の隙間部分５３，５４内を通って防漏シート３上に滲出しても、パッド１の両側部から外側に漏れにくい。更に本実施形態のように、パッド１が立体ギャザー９を有している場合は、防漏シート３の折り返し部３１を、立体ギャザー形成用シート１０に接合させて、立体ギャザー９の付け根である固定端９２を防漏シート３により補強することができる。これにより、立体ギャザー９による防漏効果が向上する。
なお、上述したように、本実施形態においては、防漏シート３の折り返し部３１を立体ギャザー形成シート１０の肌当接面側（外面側）に接合させていた。しかしながら、折り返し部３１を、図６に示すように、立体ギャザー形成用シート１０の非肌当接面側（内面側）に接合させてもよい。これは第２実施形態においても同様である。
【００３７】
上述したパッド１の各部の形成材料について説明する。
表面シート２、防漏シート３、吸収体４及び立体ギャザー形成用シート１０等としては、使い捨ておむつ等の吸収性物品に従来用いられている各種のもの等を特に制限なく用いることができる。例えば、表面シート２としては、単層又は多層構造の不織布や、開孔フィルム等を用いることができる。防漏シート３としては、樹脂フィルムや樹脂フィルムと不織布の積層体等を用いることができる。防漏シート３は、透湿性を有するものでも有しないものでも良いが、透湿性を有する方が好ましく、特に、透湿性フィルムと不織布を積層した複合シートであり、複合シートの不織布面が非肌当接面とすることがパッドの肌触りや装着時のムレを防止する観点から好ましい。さらに、折り返し部３１では、複合シートの不織布面が肌当接面となるため、着用者の肌との必要以上の密着を防ぐことができ尿とりパッドの装着感を良好に保つことができる。防漏シート３が、樹脂フィルムと不織布の積層体である場合や透湿性フィルムと不織布の積層体である場合、不織布のＸ方向幅が、フィルムのＸ方向幅よりも大きいことが好ましい。これは防漏シートの折り返し部３１を立体ギャザー形成用シート１０に接合させる際に、フィルムより通気性の高い不織布を、シート１０の高い位置に接合させることができ、立体ギャザー９の通気性を損ねずに耐水性を高めモレを防止することができ、さらにその付け根を補強できるためである。
【００３８】
弾性部材（レッグ弾性部材）７，弾性部材９１の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは紐状（平ゴム等）のもの、又はマルチフィラメントタイプの糸状のもの等を好ましく用いることができる。
【００３９】
次に、本発明の尿とりパッド１の他の実施形態について説明する。他の実施形態については、上述した第１実施形態と異なる点を中心に説明し、同様の点については、同一の符号を付して説明を省略する。特に説明しない点は、第１実施形態についての説明が適宜適用される。
【００４０】
図７及び図８には、第２実施形態の尿とりパッド１Ａが示されている。第２実施形態の尿とりパッド１Ａは、図７に示すように、吸収性コア５ＡのＸ方向幅が、股下部Ｃにおいて、狭く形成されている。このため、図７に示すように、股下部Ｃにおいて、パッド１の側縁１ａに位置する防漏シート３と、側部吸収性コア５２とのＸ方向距離が広がりやすい。これにより、股下部Ｃの側部吸収性コア５２のＸ方向の側部より立体ギャザー９の自由端９３までの距離がより長くなり、立体ギャザー９の起立高さが高まり、より大きなカップ形状を設けることができるため好ましい。なお、図７に示す例では、側部吸収性コア５２のうち股下部Ｃに位置するブロック状吸収性コア５５ａのＸ方向の幅が、背側部Ｂ及び腹側部Ａに位置する分割吸収性コア５５のＸ方向の幅に対して狭く形成されており、これにより、吸収性コア５のＸ方向幅が、股下部Ｃにおいて狭く形成されている。
なお、図８に示すように、第２実施形態において、吸収性コア５の肌当接面側を被覆するコアラップシート６１、及び非肌当接面側を被覆するコアラップシート６２は、いずれも吸収性コア５の周縁よりも外方に延出している延出部を有しており、その延出部において重なりあっている。
【００４１】
また、図８に示すパッド１Ａにおいては、立体ギャザー９の固定端９２は側部吸収性コア５２のＸ方向外側に位置している。より具体的には、表面シート２のうち吸収体４よりもＸ方向外側に延出した部分が肌当接面側に折り返されており、立体ギャザー形成用シート１０のＸ方向外側の側縁部が、表面シート２のうち、前記延出部分に接合固定されている。防漏シート３の折り返し部３が立体ギャザー形成用シート１０の肌当接面側に接合されている。なお、表面シート２は非肌当接面側に折り返されていても良い。
このように立体ギャザー９の固定端９２が、側部吸収性コア５２のＸ方向外側に位置している場合、側部吸収性コア５２の上方に位置している場合と同様に、立体ギャザー９（弾性部材９１）の伸縮により側部吸収性コア５２が起立しやすいと共に分割吸収性コア５５が寄り集まりやすく、大きなカップ形状が形成されやすい。
【００４２】
また、パッド１Ａは、側部吸収性コア５２のＸ方向外側に、弾性部材７及び立体ギャザー９の弾性部材９１とは別に、Ｙ方向に配されてＹ方向に伸縮する弾性部材８１を備えている。弾性部材８１は、側部吸収性コア５２よりも上方に位置している。該弾性部材８１の伸縮によって、側部吸収性コア５２が更に起立しやすく、また分割吸収性コア５５が寄り集まりやすく、上記のカップ形状が形成されやすい。パッド１Ａにおいては、弾性部材８１は、立体ギャザー形成用シート１０と、防漏シート３の折り返し部３１との間に接合固定されている。しかしながら、弾性部材８１は、表面シート２と、防漏シート３の折り返し部３１又は立体ギャザー形成用シート１０との間に接合固定されているのでもよい。
以上説明したように、第２実施形態のパッド１Ａにおいても、第１実施形態のパッド１と同様の構成を有しているため、第１実施形態のパッド１と同様の効果が奏される。
【００４３】
また、図９に示す第３実施形態の尿とりパッド１Ｂにおいては、防漏シート３は、表面シート２側に折り返されていない。表面シート２及び防漏シート３はそれぞれ、吸収体４の周縁よりも外方に延出している延出部を有しており、その延出部において表面シート２と防漏シート３とが接着剤やヒートシール等により接合されている。立体ギャザー形成用シート１０のＸ方向外側の側縁側は、防漏シート３及び該防漏シート３上に接合された表面シート２上に接合されており、表面シート２に接合された接合部が、立体ギャザー９の固定端９２となっている。該固定端９２は、側部吸収性コア５２のＸ方向外側に位置している。
このように、第３実施形態のパッド１Ｂは、防漏シート３がパッド１の両側部において表面シート２側に折り返されていることによる効果は有しないが、その他は第１実施形態と同様の構成を有するから、第１実施形態と同様の効果を有している。
【００４４】
以上、本発明の吸収性物品について好ましい実施形態を複数説明したが、本発明は上述した各実施形態に何ら制限されるものではなく、適宜変更可能である。
【００４５】
例えば、弾性部材７の配設箇所は、上記実施形態のような側部吸収性コア５２の非肌当接面側に限られない。
例えば、上記実施形態において、弾性部材７がパッド１の平面方向において側部吸収性コア５２と重なる領域Ｓに配されているとは、弾性部材７が側部吸収性コア５２に配されている場合を含む。弾性部材７が側部吸収性コア５２に配されている実施態様としては、弾性部材７が、側部吸収性コア５２の内部を貫通して配されている場合や、側部吸収性コア５２の肌当接面や非肌当接面等の表面に固定された状態で配されている場合が挙げられる。
【００４６】
また、弾性部材７の一部又は総てがパッド平面方向において側部吸収性コア５２と重なる領域Ｓの近傍に配されている実施態様は、弾性部材７が、図１０（ａ）〜（ｄ）に示す位置や固定態様で配されていてもよい。
図１０（ａ）に示す例では、複数本の弾性部材７はいずれも、領域Ｓの近傍に配されている。具体的には、弾性部材７はいずれも、側部吸収性コア５２よりもＸ方向外側（パッド側縁１ａ側）の近傍に配設されている。図１０（ｂ）に示す例では、複数の弾性部材７の一部（各図では１本の弾性部材７）が、側部吸収性コア５２と重なる領域Ｓにあり、残りの弾性部材７が、側部吸収性コア５２よりもＸ方向外側におけるパッド側縁１ａに配されている。図１０（ｃ）に示す例では、パッド１の平面方向において、弾性部材７の一部（各図では１本の弾性部材７）が側部吸収性コア５２と重なる領域Ｓに配されており、残りの弾性部材７が、側部吸収性コア５２の中央吸収性コア５１側近傍に配されている。
なお、弾性部材７が、パッド１の平面方向において側部吸収性コア５２と重なる領域Ｓに配されていない場合、股下部Ｃにおいて、該弾性部材７と、側部吸収性コア５２のＸ方向端部とのＸ方向距離Ｌ５７（図１０（ａ），（ｃ）参照）は、吸収性コア５のＸ方向の幅Ｌｘ（図３参照）に対して、好ましくは１０％以下であり、更に好ましくは、５％以下である。また、いずれの場合においても、弾性部材７が、パッド１の平面方向において側部吸収性コア５２のブロック状吸収性コア５５ａと重なる領域に存在していることが好ましい。弾性部材７が複数本の場合には、パッド１の平面方向において少なくとも１本がブロック状吸収コア５５ａと重なる領域に存在することが好ましく、弾性部材７の全本数が重なる領域に存在することが特に好ましい。
【００４７】
また、上述した第１〜第３実施形態においては、弾性部材７は、コアラップシート６２と防漏シート３との間に接合固定されていた。しかしながら、弾性部材７は図１０（ｄ）の例で示すように、コアラップシート６２の肌当接面側の面にのみ接合されて、防漏シート３とは接合されていなくてもよい。このような固定態様であると、弾性部材７がより伸縮しやすいため、好ましい。図１０（ｄ）のように、弾性部材７が側部吸収性コア５２の非肌当接面側に位置する場合には、弾性部材７を側部吸収コア５５ａと接合しないようにし、隙間部分５４や腹側部Ａ、背側部Ｂの位置で接合することが望ましい。
【００４８】
なお、図示しないが、弾性部材７は、必ずしも側部吸収性コア５２よりも非肌当接面側に位置している必要はない。例えば、中央吸収性コア５１と側部吸収性コア５２との隙間部分５３や、側部吸収性コア５２よりパッド側縁１ａ側において、弾性部材７をコアラップシート６１，６２間に接合固定することにより、弾性部材７を側部吸収性コア５２の側方に配設してもよい。また、弾性部材７は、吸収性コア５の肌当接面側を覆うコアラップシート６１又は／及び表面シート２に接合固定させることにより、側部吸収性コア５２の上方に配してもよい。また、弾性部材７を、側部吸収性コア５２よりも非肌当接面側に配設する場合であっても、弾性部材７の固定態様は上記実施形態や図１０に示す例に限定される訳ではない。例えば、コアラップシート６２と防漏シート３との間に弾性部材７を配しつつ、コアラップシート６２のみ、又は防漏シート３のみに弾性部材７を接合固定させるのでもよい。また、パッド１にコアラップシート６２を設けずに、防漏シート３の肌当接面側の面に弾性部材７を接合固定させるのでもよい。
【００４９】
また上記に挙げた吸収性コア５，５Ａは、図１１（ａ）〜（ｄ）に示す形状の吸収性コア５Ｂ〜５Ｅに置き換えてもよい。例えば、図１１（ａ）に示す吸収性コア５Ｂは、分割吸収性コア５５が、股下部Ｃにおいてのみならずパッドの全体において、第１実施形態のブロック状吸収性コア５５ａと同様の台形状をしている。また、図１１（ｂ）に示す吸収性コア５Ｃは、中央吸収性コア５１の両側それぞれに側部吸収性コア５２が２列配されており、いずれの列の側部吸収性コア５２もＹ方向に複数に分割されている。また、図１１（ｃ）に示す吸収性コア５Ｄは、側部吸収性コア５２が股下部Ｃにおいて細かく分割されて、股下部Ｃに位置するブロック状吸収性コア５５ａを多数（図１１（ｃ）では５つ）有している。また、図１１（ｄ）に示す吸収性コア５Ｅにおいては、中央吸収性コア５１が、股下部Ｃの両側縁が幅方向内側に凹む凹状に形成されており、全体として長手方向中央部が括れた砂時計状の形状を有している。側部吸収性コア５２は、股下部Ｃにおける中央吸収性コア５１の凹んだ部分に配されており、複数のブロック状吸収性コア５５ａに分割され離間した状態で配されている。
【００５０】
また、ブロック状吸収性コアの形状は、図１２（ａ）〜（ｂ）に示すような形状であっても良い。例えば、図１２（ａ）に示すブロック状吸収性コア５５Ｂは半円状であり、図１２（ｂ）に示すブロック状吸収性コア５５Ｃは先端が丸味を帯びた三角形状である。これらの形状のブロック状吸収性コアも、パッドのＸ方向外側に向かうにつれてＹ方向の長さが短くなるように配することができ、弾性部材７の伸縮により、ブロック状吸収性コアのＸ方向外側の端部同士が近づきやすいため、好ましい。図１２（ｂ）に示す三角形状の場合も、先端が丸味を帯びることにより着用者の肌への刺激をなくすことができる。
【００５１】
また、上述した一の実施形態における説明省略部分及び一の実施形態のみが有する要件は、それぞれ他の実施形態に適宜適用することができ、また、各実施形態における要件は、適宜、実施形態間で相互に置換可能である。
また、本発明の吸収性物品は、尿とりパッドに限られず、失禁パッドや、生理用ナプキン、使い捨ておむつ（パンツ型紙おむつ及びテープ型紙おむつ）等であっても良い。中でも、尿とりパッドや使い捨ておむつ等の吸収体が比較的大きな吸収性物品であることが好ましい。
【符号の説明】
【００５２】
１，１Ａ，１Ｂ  尿とりパッド（吸収性物品）
２  表面シート
３  防漏シート
４  吸収体
５，５Ａ〜５Ｅ  吸収性コア
５１  中央吸収性コア
５２  側部吸収性コア
５５  分割吸収性コア
５５ａ  ブロック状吸収性コア
５３  隙間部分
５４  隙間部分
６（６１，６２）  コアラップシート
７  弾性部材
９  立体ギャザー
９２  固定端
９３  自由端
Ｃ  股下部（長手方向中央部）
【図１】
0005789423.tif 000002
【図２】
0005789423.tif 000003
【図３】
0005789423.tif 000004
【図４】
0005789423.tif 000005
【図５】
0005789423.tif 000006
【図６】
0005789423.tif 000007
【図７】
0005789423.tif 000008
【図８】
0005789423.tif 000009
【図９】
0005789423.tif 000010
【図１０】
0005789423.tif 000011
【図１１】
0005789423.tif 000012
【図１２】
0005789423.tif 000013